(57)【特許請求の範囲】
【請求項１】
ベルト駆動機構のベルトの張力を自動的に適度に保つためのオートテンショナであって、
固定の支軸部材と、この支軸部材に対しボス部が回動可能に嵌合支持されたアームと、このアームを支軸部材回りに一定方向に回動付勢するためのばねと、アームの先端部に回転可能に枢支されるテンションプーリと、前記ボス部の軸心方向端面に形成した凹部に配置されてアームに対して回動抵抗を与えるための摩擦板と、前記支軸部材の軸心方向端面側に取付けられるとともに前記摩擦板をボス部の軸心方向端面に押圧して挟持する平坦な押え面を有した押え板とを備え、
この押え板の外周縁を折曲させて、この折り曲げ部により、摩擦板の反対側である開放された外側に向けて軸方向に延び、かつ押え板の周方向に連続する環状の補強部を形成して、押え板の断面係数を増加させたことを特徴とするオートテンショナ。
【請求項２】
ベルト駆動機構のベルトの張力を自動的に適度に保つためのオートテンショナであって、
固定の支軸部材と、この支軸部材に対しボス部が回動可能に嵌合支持されたアームと、このアームを支軸部材回りに一定方向に回動付勢するためのばねと、アームの先端部に回転可能に枢支されるテンションプーリと、前記ボス部の軸心方向端面に形成した凹部に配置されてアームに対して回動抵抗を与えるための摩擦板と、前記支軸部材の軸心方向端面側に取付けられるとともに前記摩擦板をボス部の軸心方向端面に押圧して挟持する平坦な押え面を有した押え板とを備え、
この押え板の押え面を折曲させて、この折曲げ部により、摩擦板の反対側である開放された外側に向けて軸方向に延びるように突出し、かつ押え板の周方向に連続する環状の補強部を形成して押え板の断面係数を増加させ、
前記折曲げ部は、突出して折り曲げられることにより径方向で対向する面同士が互いに密接していることを特徴とするオートテンショナ。
【請求項３】
ベルト駆動機構のベルトの張力を自動的に適度に保つためのオートテンショナであって、
固定の支軸部材と、この支軸部材に対しボス部が回動可能に嵌合支持されたアームと、このアームを支軸部材回りに一定方向に回動付勢するためのばねと、アームの先端部に回転可能に枢支されるテンションプーリと、前記ボス部の軸心方向端面に形成した凹部に配置されてアームに対して回動抵抗を与えるための摩擦板と、前記支軸部材の軸心方向端面側に取付けられるとともに前記摩擦板をボス部の軸心方向端面に押圧して挟持する平坦な押え面を有した押え板とを備え、
この押え板の外周縁を折曲させて、この折り曲げ部により、摩擦板の反対側である開放された外側に向けて軸方向に延び、かつ押え板の周方向に連続する環状の補強部を形成するとともに、
前記押え板の押え面を折曲させて、この折曲げ部により、摩擦板の反対側である開放された外側に向けて軸方向に延びるように突出し、かつ押え板の周方向に連続する環状の補強部を形成して、前記両補強部により押え板の断面係数を増加させ、
前記押え板の押え面に形成した折曲げ部は、突出して折り曲げられることにより径方向で対向する面同士が互いに密接していることを特徴とするオートテンショナ。
【発明の詳細な説明】
【０００１】
【発明の属する技術分野】
本発明は、ベルト駆動機構のベルトの張力を自動的に適度に保つためのオートテンショナに関する。
【０００２】
【従来の技術】
一般に、オートテンショナは、環境の温度変化や経時的な伸縮変化等によって発生するベルトの張力変動に応じてテンションプーリの動きを許容しつつ、ベルトからの振動や衝撃を減衰するようにテンションプーリの動きを規制する機能を有した構造になっている。
【０００３】
このような機能を実現するために、テンションプーリ支持用のアームのボス部の前側端面と、アーム支持用の支軸の前端に一体的に取付けられる押え板（ガイド板）との隙間に環状の摩擦板を挟み、ねじりコイルばねの伸張復元力により前記摩擦板をボス部と押え板とに圧接させるようにしている。
【０００４】
【発明が解決しようとする課題】
ところで、オートテンショナの軽量化のために、押え板には薄い平板が用いられてきた。しかし、この押え板には、ねじりコイルばねの伸張復元力が摩擦板を介して継続的に働いている。
【０００５】
このため、押え板に、その外周部が反り上がるような変形が発生して摩擦板の面圧が不均一になってしまい、摩擦板に偏摩耗が発生したり、あるいは押え板に対する摩擦板の摺動が不安定になって、アームが振動してしまうという不都合があった。
【０００６】
このような不都合を解消するには、押え板の厚みを厚くしてその剛性を高める構成とすることが考えられるが、そうすると、オートテンショナの軽量化を図れなくなってしまうという課題が生じる。
【０００７】
そこで本発明は、上記課題を解決し得るオートテンショナの提供を目的とする。
【０００８】
【課題を解決するための手段】
本発明の請求項１に係るオートテンショナは、ベルト駆動機構のベルトの張力を自動的に適度に保つためのオートテンショナであって、固定の支軸部材と、この支軸部材に対しボス部が回動可能に嵌合支持されたアームと、このアームを支軸部材回りに一定方向に回動付勢するためのばねと、アームの先端部に回転可能に枢支されるテンションプーリと、前記ボス部の軸心方向端面に形成した凹部に配置されてアームに対して回動抵抗を与えるための摩擦板と、前記支軸部材の軸心方向端面側に取付けられるとともに前記摩擦板をボス部の軸心方向端面に押圧して挟持する平坦な押え面を有した押え板とを備え、この押え板の外周縁を折曲させて、この折り曲げ部により、摩擦板の反対側である開放された外側に向けて軸方向に延び、かつ押え板の周方向に連続する環状の補強部を形成して、押え板の断面係数を増加させたことを特徴とする。
本発明の請求項２に係るオートテンショナは、ベルト駆動機構のベルトの張力を自動的に適度に保つためのオートテンショナであって、固定の支軸部材と、この支軸部材に対しボス部が回動可能に嵌合支持されたアームと、このアームを支軸部材回りに一定方向に回動付勢するためのばねと、アームの先端部に回転可能に枢支されるテンションプーリと、前記ボス部の軸心方向端面に形成した凹部に配置されてアームに対して回動抵抗を与えるための摩擦板と、前記支軸部材の軸心方向端面側に取付けられるとともに前記摩擦板をボス部の軸心方向端面に押圧して挟持する平坦な押え面を有した押え板とを備え、この押え板の押え面を折曲させて、この折曲げ部により、摩擦板の反対側である開放された外側に向けて軸方向に延びるように突出し、かつ押え板の周方向に連続する環状の補強部を形成して押え板の断面係数を増加させ、前記折曲げ部は、突出して折り曲げられることにより径方向で対向する面同士が互いに密接していることを特徴とする。
本発明の請求項３に係るオートテンショナは、ベルト駆動機構のベルトの張力を自動的に適度に保つためのオートテンショナであって、固定の支軸部材と、この支軸部材に対しボス部が回動可能に嵌合支持されたアームと、このアームを支軸部材回りに一定方向に回動付勢するためのばねと、アームの先端部に回転可能に枢支されるテンションプーリと、前記ボス部の軸心方向端面に形成した凹部に配置されてアームに対して回動抵抗を与えるための摩擦板と、前記支軸部材の軸心方向端面側に取付けられるとともに前記摩擦板をボス部の軸心方向端面に押圧して挟持する平坦な押え面を有した押え板とを備え、この押え板の外周縁を折曲させて、この折り曲げ部により、摩擦板の反対側である開放された外側に向けて軸方向に延び、かつ押え板の周方向に連続する環状の補強部を形成するとともに、前記押え板の押え面を折曲させて、この折曲げ部により、摩擦板の反対側である開放された外側に向けて軸方向に延びるように突出し、かつ押え板の周方向に連続する環状の補強部を形成して、前記両補強部により押え板の断面係数を増加させ、前記押え板の押え面に形成した折曲げ部は、突出して折り曲げられることにより径方向で対向する面同士が互いに密接していることを特徴とする。
【０００９】
上記構成において、ベルトの張力が減少した場合、ばねの復元力により、アームおよびテンションプーリが傾動してベルトの張力が一定になるよう調節され、ベルトの張力が増加した場合、ばねの復元力に抗してアームおよびテンションプーリが反対方向に傾動して、ベルトの張力が一定になるよう調節され、さらに、ベルトから激しい振動や衝撃が加わった場合、テンションプーリを支持しているアームのボス部にその振動や衝撃が伝わることになる。このとき、ばねの伸張復元力によりボス部が摩擦板に押付けられて摩擦抵抗が発生しているので、振動や衝撃が吸収、減衰され、アーム部材の不要な揺動を抑制し、これにより、テンションプーリの変位が抑えられ、ベルトに対するテンションが一定に保たれる。
【００１１】
上記構成によれば、押え板の外周部に、ばねの伸張復元力が、摩擦板を介して継続的に働いた状態にあっても、補強部によって押え板の外周縁部が反るような変形が抑えられ、したがって、摩擦板の偏摩耗を防止して摩擦板の面圧を継続的に均一に維持し、押え板に対する摩擦板の摺動動作を安定させてベルトに対して常に安定したテンションを付与する。
【００１２】
【発明の実施の形態】
以下、本発明の実施の形態を、図１ないし図３に基づいて説明する。図1は本発明の実施の形態に係るオートテンショナの正面図、図２は図1におけるＹ−Ｙ線矢視図、図3は摩擦板押え部材の単体斜視図である。
【００１３】
本発明の実施の形態に係るオートテンショナ１は、図示しないベルト駆動機構の所定の場所に、ボルト２によって取付け片１８が固定される支軸部材５と、この支軸部材５の円錐台状のアーム支持部６に対し、環状の基端ボス部７がブッシュ８を介して回動可能に嵌合支持されたアーム部材９と、このアーム部材９の先端部のプーリ支持部１０に、転がり軸受１１および支軸部材５の軸心Ｃ方向に沿って配置されたボルト３を介して回転可能に支持されるテンションプーリ（板金プレス加工によって製作されている）１２とを備えている。
【００１４】
前記支軸部材５は、アルミニウム合金などを用いたダイカスト成形により製作され、前記アーム支持部６と外筒部１３とを備え、この外筒部１３は、アーム支持部６の基端側から径方向外向きに延びるとともに自由端側に延びてアーム支持部６の外周を囲むように形成され、この支軸部材５における、アーム支持部６の外周面の形状は、成形金型の抜き勾配に対応している。
【００１５】
前記アーム部材９を支軸部材５回りに一定方向に回動付勢するためのねじりコイルバネ１４が設けられ、このねじりコイルバネ１４は、前記アーム支持部６の外周面およびアーム部材９の基端ボス部７の外周面、支軸部材５の外筒部１３の内周面との間に形成される環状空間５Ａに、それぞれの面に対して非接触で、かつねじり圧縮された状態で配置されている。
【００１６】
このねじりコイルバネ１４の両端側には、支軸部材５の径方向外向きに屈曲された屈曲部１５ａ，１５ｂが一体的に形成されており、これらの屈曲部１５ａ，１５ｂが支軸部材５の底部に形成されたスリット状の切欠き１６と、アーム部材９の基端ボス部７に形成されたスリット状の切欠き１７とにそれぞれ係止されている。
【００１７】
そして、このねじりコイルバネ１４は、そのねじり復元力によってアーム部材９を、軸心Ｃ回りに図1の反時計方向に付勢しており、前記軸心Ｃ方向の伸張復元力によりアーム部材９の基端ボス部７を後述の摩擦板２０に押付けて基端ボス部７に対して摩擦抵抗を付与する機能を有している。
【００１８】
前記摩擦板２０は、基端ボス部７の軸心Ｃ方向前端面に形成した凹部２１に配置されて、支軸部材５におけるアーム支持部６の先端側にボルト１９により固定される環状の摩擦板押え部材２２の平坦押え面２２ａとの間に挟まれた状態で保持されている。
【００１９】
そして、摩擦板２０は、ねじりコイルバネ１４の伸張復元力により基端ボス部７の端面と摩擦板押え部材２２とに対して所定圧力で押付けられて、基端ボス部７に対して回動抵抗を付与している。
【００２０】
なお、前記摩擦板２０は、例えばポリエーテルエーテルケトン（ＰＥＥＫ）などのポリアミド樹脂、クラッチフェーシング材、ブレーキライニング材あるいはブレーキパッド材などで形成されている。
【００２１】
また、摩擦板２０が周方向に回って適正位置からずれてしまうのを防止するために、図示しないが、基端ボス部７の端面の一箇所に径方向外方に突出する突起を設ける一方で、摩擦板２０の中心孔の円周上の一箇所に突起に係合する凹部を形成し、これらの係合により、摩擦板２０を不動に拘束させている。
【００２２】
前記摩擦板押え部材２２は、中央に嵌合孔３０が形成され、この嵌合孔３０が、基端ボス部７の前端面中央部に形成された段付き凸部３１に嵌合支持され、この摩擦板押え部材２２に、前記軸心Ｃ方向に沿って摩擦板２０の反対側（外方）に向けて突出するとともに、摩擦板押え部材２２の周方向に沿うフランジ状の補強部２５がプレス加工により一体形成され、この補強部２５は、摩擦板押え部材２２の外周縁を折曲させて環状に形成している。このような補強部２５を形成することにより、摩擦板押え部材２２の断面係数（剛性）を増加させている。
【００２３】
本発明の実施の形態におけるオートテンショナ１では、ベルトＢの張力変動に応じたテンションプーリ１２の動きを許容しつつ、ベルトＢからの振動や衝撃を減衰するようにテンションプーリ１２の動きを規制する。
【００２４】
例えば、ベルトＢの張力が緩やかに減少した場合、ねじりコイルバネ１４のねじり復元力（周方向の付勢力）により、アーム部材９およびテンションプーリ１２が、図1の左側に傾動してベルトＢの張力が一定になるよう調節される。
【００２５】
ベルトＢの張力が緩やかに増加した場合、ねじりコイルバネ１４のねじり復元力に抗してアーム部材９およびテンションプーリ１２が、図1の右側に傾動して、ベルトＢの張力が一定になるよう調節される。
【００２６】
さらに、オートテンショナ１に対してベルトＢから激しい振動や衝撃が加わった場合、テンションプーリ１２を支持しているアーム支持部６の基端ボス部７にその振動や衝撃が伝わることになるが、ねじりコイルバネ１４の伸張復元力により、基端ボス部７の端面を摩擦板２０に押付けて摩擦抵抗を発生させているので、ベルトＢからの振動や衝撃が吸収、減衰され、アーム部材９の不要な揺動を抑制することができる。これにより、テンションプーリ１２の変位が抑えられ、ベルトＢに対するテンションを一定に保つことができる。
【００２７】
ところで、本発明の実施の形態におけるオートテンショナ１では、上述したように、摩擦板２０は、ねじりコイルバネ１４の伸張復元力により基端ボス部７の端面と摩擦板押え部材２２とに対して所定圧力で押付けられて、基端ボス部７に対して回動抵抗を付与しているものであり、摩擦板押え部材２２の外周部に、ねじりコイルバネ１４の伸張復元力が、摩擦板２０を介して継続的に働いた状態にある。
【００２８】
しかし、本発明の実施の形態に係る摩擦板押え部材２２には、摩擦板押え部材２２の外周縁を折曲させて環状に形成した補強部２５を設けることで摩擦板押え部材２２の断面係数を増加させているので、摩擦板押え部材２２にねじりコイルバネ１４の伸張復元力が働いたとしても、この補強部２５によって、摩擦板押え部材２２の外周縁部が反り上がるといった変形を抑えることができる。
【００２９】
このように、摩擦板押え部材２２の変形を抑えることにより、摩擦板２０の偏摩耗を防止して摩擦板２０の面圧を継続的に均一に維持し、摩擦板押え部材２２に対する摩擦板２０の摺動動作を安定させてベルトＢに対して常に安定したテンションを付与することができる。
【００３０】
なお、上記実施の形態では、摩擦板押え部材２２の周方向に沿う補強部２５を、摩擦板押え部材２２の外周縁を折曲させて環状に形成したが、これに限定されるものではなく、例えば図４の断面図に示すように、平坦押え面２２ａに、軸心Ｃ方向に沿ってかつ摩擦板２０の反対側に向けて突出する環状の凸部を、プレス加工によって同心円上に複数列で形成して補強部２５としてもよい。
【００３１】
さらに、図５の斜視図に示すように、摩擦板押え部材２２の外周縁を折曲させて環状に形成するとともに、平坦押え面２２ａに、軸心Ｃ方向に沿ってかつ摩擦板２０の反対側に向けて突出する環状の凸部を、プレス加工によって同心円上に複数列で形成して補強部２５としてもよい。いずれの実施の形態の場合も凸部を形成することで、摩擦板押え部材２２の断面係数が増加して、確実に摩擦板押え部材２２の変形を抑えることができる。他の作用効果は上記実施の形態と同様である。
【００３２】
さらに、上記各実施の形態における摩擦板押え部材２２は、基端ボス部７に対して支軸部材５の軸心Ｃ方向に離間してオフセット配置（支軸部材５の先端よりも前方に突出した位置に配置）されるタイプのオートテンショナ１にも適用可能であり、この場合も、上記各実施の形態と同様の効果を奏し得る。
【００３３】
【発明の効果】
以上の説明から明らかな通り、本発明は、摩擦板をボス部の軸心方向端面に押圧して挟持する押え面を有した押え板に、軸心方向に沿ってかつ摩擦板の反対側に向けて突出するとともに、押え板の周方向に沿う補強部を形成して押え板の断面係数を増加させ、補強部は、押え板の外周縁を折曲させて環状に形成し、あるいは押え板の押え面を変形させて環状に形成しているので、押え板の外周部に、ばねの伸張復元力が、摩擦板を介して継続的に働いた状態にあっても、補強部によって押え板の外周縁部が反るような変形が抑えられ、したがって、摩擦板の偏摩耗を防止して摩擦板の面圧を継続的に均一に維持し、押え板に対する摩擦板の摺動動作を安定させて、ベルト駆動機構のベルトに対して常に安定したテンションを付与することができる。
【図面の簡単な説明】
【図１】本発明の実施の形態を示すオートテンショナの正面図である。
【図２】同じく図1におけるＡ−Ａ線矢視断面図である。
【図３】同じく摩擦板押え部材の単体斜視図である。
【図４】同じく他の実施の形態を示す摩擦板押え部材の断面図である。
【図５】同じく他の実施の形態を示す摩擦板押え部材の単体斜視図である。
【符号の説明】
１      オートテンショナ
５      支軸部材
５Ａ    環状空間
６      アーム支持部
７      基端ボス部
９      アーム部材
１０    プーリ支持部
１１    転がり軸受
１２    テンションプーリ
１３    外筒部
１４    ねじりコイルバネ
２０    摩擦板
２２    摩擦板押え部材
２５    補強部
Ｃ      軸心
【図１】
0003968958.tif 000002
【図２】
0003968958.tif 000003
【図３】
0003968958.tif 000004
【図４】
0003968958.tif 000005
【図５】
0003968958.tif 000006